(57)【要約】【課題】前眼部撮影可能な眼科撮影装置において、前眼部撮影時に、画質に影響を与えるような外光を確認できるようにする。【解決手段】被検眼Ｅの眼底部Ｅｒを撮影する状態と被検眼Ｅの前眼部を撮影する状態とに切り替え可能な眼底カメラ１ａであって、眼底カメラ１ａが前眼部を撮影する状態に切り替えられている場合に、外光の状態を検出する撮像素子９ａと、撮像素子９ａが検出した外光の状態の状態に応じて、外光が前眼部の撮影に影響を与えるか否かを判定する制御部１０（判定手段）とを有する。【選択図】図１
2014083095.tif 000002
【特許請求の範囲】
【請求項１】
被検眼の眼底部を撮影する状態と前記被検眼の前眼部を撮影する状態とに切り替え可能な眼科撮影装置であって、
外光の状態を検出する外光検出手段と、
前記前眼部を撮影する状態に切り替えられている場合に、前記外光検出手段により検出された外光の状態に応じて、前記外光が前記前眼部の撮影に影響を与えるか否かを判定する判定手段と、
を有することを特徴とする眼科撮影装置。
【請求項２】
前記判定手段は、前記外光検出手段により検出された外光の状態が所定の状態と異なる場合に、前記外光が前記前眼部の撮影に影響を与えると判定することを特徴とする請求項１に記載の眼科撮影装置。
【請求項３】
前記外光検出手段は、前記外光の光量を前記外光の状態として検出し、
前記判定手段は、前記外光検出手段により検出された外光の光量が閾値以上である場合に、前記外光が前記前眼部の撮影に影響を与えると判定することを特徴とする請求項１または２に記載の眼科撮影装置。
【請求項４】
前記外光検出手段は、赤外観察時における画像のＲＧＢ比を前記外光の状態として検出し、
前記判定手段は、前記外光検出手段により検出された前記ＲＧＢ比が赤外観察光のみの場合の画像のＲＧＢ比と異なる場合に、前記外光が前記前眼部の撮影に影響を与えると判定することを特徴とする請求項１から３のいずれか１項に記載の眼科撮影装置。
【請求項５】
前記被検眼を照明する観察光源をさらに有し、
前記外光検出手段は、前記観察光源が消灯されている場合に、前記外光の状態を検出することを特徴とする請求項１から４のいずれか１項に記載の眼科撮影装置。
【請求項６】
前記外光検出手段により検出された外光が前記前眼部の撮影に影響を与えると判定された場合に、前記前眼部の撮影を禁止する制御手段をさらに有することを特徴とする請求項１から５のいずれか１項に記載の眼科撮影装置。
【請求項７】
前記外光検出手段により検出された外光が前記前眼部の撮影に影響を与えると判定された場合に、前記外光検出手段が検出した外光の状態と撮影した画像の状態とから撮影された前眼部画像の色の補正を行う制御手段をさらに有することを特徴とする請求項１から５のいずれか１項に記載の眼科撮影装置。
【請求項８】
前記外光検出手段により検出された外光が前記前眼部の撮影に影響を与えると判定された場合に、前記外光検出手段により検出された外光の光量に対して所定の比率で撮影光源の光量を増加させるとともに、前記前眼部を撮像する撮像手段の感度を前記撮影光源の光量の増加量の逆数に応じて低くする補正を行う制御手段をさらに有することを特徴とする請求項１から５のいずれか１項に記載の眼科撮影装置。
【請求項９】
前記制御手段は、前記補正を行っても前記外光検出手段により検出された外光が前記前眼部の撮影に影響を与えると判定した場合には、前記前眼部の撮影を禁止することを特徴とする請求項７または８に記載の眼科撮影装置。
【請求項１０】
前記制御手段が前記前眼部の撮影を禁止した後、前記判定手段は前記外光検出手段により検出された外光が前記前眼部の撮影に影響を与えるか否かを判定し、影響を与えないと判定した場合には、前記制御手段は撮影の禁止を解除することを特徴とする請求項６または９に記載の眼科撮影装置。
【請求項１１】
前記外光検出手段は、対物レンズの近傍に配置されることを特徴とする請求項１から１０のいずれか１項に記載の眼科撮影装置。
【請求項１２】
前記外光検出手段が、前記前眼部を撮影する撮像手段からの出力に基づいて、前記外光を検出することを特徴とする請求項１から１１のいずれか１項に記載の眼科撮影装置。
【請求項１３】
前記外光検出手段により検出された外光が前記前眼部の撮影に影響を与えると判定された場合に、警告を発する警告手段をさらに有することを特徴とすることを特徴とする請求項１から１２のいずれか１項に記載の眼科撮影装置。
【請求項１４】
被検眼の眼底部を撮影する状態と前記被検眼の前眼部を撮影する状態とに切り替え可能な眼科撮影装置の制御方法であって、
外光の状態を検出するステップと、
前記前眼部を撮影する状態に切り替えられている場合において、検出された外光の状態に応じて、前記外光が前記前眼部の撮影に影響を与えるか否かを判定するステップと、
を有することを特徴とする眼科撮影装置の制御方法。
【請求項１５】
前記外光が前記前眼部の撮影に影響を与えるか否かを判定するステップにおいては、検出された外光の状態が所定の状態と異なる場合に、前記外光が前記前眼部の撮影に影響を与えると判定することを特徴とする請求項１４に記載の眼科撮影装置の制御方法。
【請求項１６】
前記外光の状態を検出するステップにおいては、前記外光の光量を前記外光の状態として検出し、
前記外光が前記前眼部の撮影に影響を与えるか否かを判定するステップにおいては、検出された外光の光量が閾値以上である場合に、前記外光が前記前眼部の撮影に影響を与えると判定することを特徴とする請求項１４または１５に記載の眼科撮影装置の制御方法。
【請求項１７】
被検眼の眼底部を撮影する状態と前記被検眼の前眼部を撮影する状態とに切り替え可能な眼科撮影装置のコンピュータに、請求項１４から１６のいずれか１項に記載の眼科撮影装置の制御方法を実行させることを特徴とするプログラム。
【発明の詳細な説明】
【技術分野】
【０００１】
本発明は、眼科撮影装置、眼科撮影装置の制御方法、プログラムに関する。詳しくは、本発明は、眼科医院などにおいて被験者の被検眼の撮影に用いられる眼科撮影装置と、この眼科撮影装置の制御方法と、この眼科撮影装置を制御するためにコンピュータに実行させるプログラムに関する。
【背景技術】
【０００２】
従来、眼底診断や糖尿病健診等に、眼底カメラなどの眼科撮影装置が使用されている。眼底カメラは、眼底部を可視光や赤外線で照明して位置調整及びフォーカシングを行い、撮影光により眼底部撮影を行うことができる。眼底カメラは、基本的に撮影光（光源としてはキセノンフラッシュやハロゲンランプ、白色ＬＥＤなどが使われる）だけで撮影するように設計されており、撮影画像の色味、ホワイトバランス、光量は、撮影光に合わせて調整されている。
【０００３】
健診用途には、散瞳剤を使わずに撮影可能な無散瞳眼底カメラが主に使用される。無散瞳眼底カメラは、赤外線を照明光として用いることで、被検者の縮瞳を避けている。無散瞳眼カメラを用いた眼底部撮影では、被検眼が縮瞳するのでケラレが生じやすくなるが、瞳孔を通して撮影光を入射し、眼底の反射光を再び瞳孔を通して撮影光学系に導くという光学構成上、撮影画像に外光が影響することは少ない。
一方、前眼部撮影では、眼底カメラと被検眼との間隔があくため、外光下で前眼部撮影を行うと、撮影画像は前眼部以外の部分および肌に反射した光（外光）の影響を受けることがある。
ここで、屈折測定用光源の光束の位置の認識精度を向上させるため、屈折測定用光源の点灯時の映像と消灯時の映像との差分を算出することで、外乱光が除去された眼底からのスポット像の映像を取得する眼屈折測定用の検眼装置が、特許文献１に開示されている。
【先行技術文献】
【特許文献】
【０００４】
【特許文献１】特開平１０−３３７２７６号公報
【発明の概要】
【発明が解決しようとする課題】
【０００５】
ところで、赤外線と可視光の両方に感度を有するデジタル一眼レフカメラを用いて被検眼の前眼部を撮影する場合、外光の影響によって赤紫色の強い前眼部の画像になる可能性がある。特に、撮影光学系に赤外カットフィルタを設けていない装置構成では、この可能性が高くなる。
以上より、本発明の目的は、前眼部を撮影する場合に、画質に影響を与えるような外光を確認できるようにすることである。
【課題を解決するための手段】
【０００６】
本発明の眼科撮影装置は、
被検眼の眼底部を撮影する状態と前記被検眼の前眼部を撮影する状態とに切り替え可能な眼科撮影装置であって、
外光の状態を検出する外光検出手段と、
前記前眼部を撮影する状態に切り替えられている場合に、前記外光検出手段により検出された外光の状態に応じて、前記外光が前記前眼部の撮影に影響を与えるか否かを判定する判定手段と、
を有することを特徴とする。
また、本発明の眼科装置の制御方法は、
被検眼の眼底部を撮影する状態と前記被検眼の前眼部を撮影する状態とに切り替え可能な眼科撮影装置の制御方法であって、
外光の状態を検出するステップと、
前記前眼部を撮影する状態に切り替えられている場合において、検出された外光の状態に応じて、前記外光が前記前眼部の撮影に影響を与えるか否かを判定するステップと、
を有することを特徴とする。
また、本発明のプログラムは、
被検眼の眼底部を撮影する状態と被検眼の前眼部を撮影する状態とに切り替え可能な眼科撮影装置のコンピュータに、
外光の状態を検出するステップと、
前記前眼部を撮影する状態に切り替えられている場合において、検出された外光の状態に応じて、前記外光が前記前眼部の撮影に影響を与えるか否かを判定するステップと、
を実行させるプログラムであることを特徴とする。
【発明の効果】
【０００７】
本発明によれば、前眼部を撮影する場合に、外光の状態を検出し、検出した外光の状態が前眼部の撮影に影響を与えるか否かを判定することによって、外光の影響があるか否かを検出することができる。このため、前眼部を撮影する場合に、画質に影響を与えるような外光を確認することができる。
【図面の簡単な説明】
【０００８】
【図１】図１は、第１の実施形態にかかる眼科撮影装置（眼底カメラ）の構成を示すブロック図である。
【図２】図２は、第１の実施形態にかかる眼科撮影装置（眼底カメラ）により撮影される眼底部画像を模式的に示す図である。
【図３】図３は、第１の実施形態にかかる眼科撮影装置（眼底カメラ）により撮影される前眼部画像を模式的に示す図である。
【図４】図４は、第１の実施形態にかかる眼科撮影装置（眼底カメラ）の動作を示すフローチャートである。
【図５】図５は、第１の実施形態にかかる眼科撮影装置（眼底カメラ）の動作を示すフローチャートである。
【図６】図６は、第２の実施形態にかかる眼科撮影装置（眼底カメラ）の構成を示すブロック図である。
【図７】図７は、第３の実施形態にかかる眼科撮影装置（眼底カメラ）の動作を示すフローチャートである。
【図８】図８は、第４の実施形態にかかる眼科撮影装置（眼底カメラ）の動作を示すフローチャートである。
【図９】図９は、第４の実施形態にかかる眼科撮影装置（眼底カメラ）の動作を示すフローチャートである。
【図１０】図１０は、第５の実施形態にかかる眼科撮影装置（眼底カメラ）の動作を示すフローチャートである。
【図１１】図１１は、第５の実施形態にかかる眼科撮影装置（眼底カメラ）の動作を示すフローチャートである。
【発明を実施するための形態】
【０００９】
以下に、本発明の実施形態について、図面を参照して詳細に説明する。前眼部撮影時において外光の影響を低減するための形態としては、（１）外光の影響がある旨の警告と撮影の禁止、（２）前眼部画像に色補正を施す構成、（３）撮影光量の増加と感度の低減、が適用される。
【００１０】
（第１の実施形態：外光が前眼部の撮影に影響を与える場合には、警告や前眼部の撮影を禁止する）
まず、本発明の第１の実施形態について説明する。
図１は眼科撮影装置として用いられる第１の実施形態としての眼底カメラ１ａの構成図である。第１の実施形態の眼底カメラ１ａは、無散瞳眼底カメラである。第１の実施形態の眼底カメラ１ａは、被検眼Ｅの前方に配置されて使用される。第１の実施形態の眼底カメラ１ａの本体内には、観察光源２から被検眼Ｅに対向して配置される対物レンズ３に至る観察照明光学系が設けられる。この観察照明光学系には、観察光源２と、ダイクロイックミラー４と、リレーレンズ５と、孔あきミラー６とが順次に配列されている。観察光源２は、たとえば赤外ＬＥＤからなり、赤外線を照射する。また、ダイクロイックミラー４の入射方向には、撮影照明光学系としての撮影光源７が配置されている。撮影光源７は、被検眼Ｅに向けて光を照射することにより、被検眼Ｅの明るさを調整する。撮影光源７は、たとえばキセノン管が適用される。
【００１１】
孔あきミラー６の後方には、撮影光学系を構成する要素として、フォーカスレンズ８が配置されている。フォーカスレンズ８は、光軸方向に移動することによってフォーカスを調整する。
【００１２】
眼底カメラ１ａの本体であってフォーカスレンズ８の光軸の延長上には、デジタル一眼レフカメラ９が着脱可能に取り付けられている。デジタル一眼レフカメラ９には、撮像素子９ａ（撮像手段）と、制御部９ｂ（制御手段）と液晶ディスプレイ９ｃ（表示手段）とが設けられる。撮像手段としての撮像素子９ａは、結像した光学像を電気信号に変換し、画像（前眼部画像および眼底部画像）を生成する。制御部９ｂは、デジタル一眼レフカメラ９の制御を行う。撮像素子９ａと制御部９ｂとは接続されており、撮像素子９ａの出力（生成された画像）は制御部９ｂに送信される。表示部としての液晶ディスプレイ９ｃは、デジタル一眼レフカメラ９の背面に設けられる。制御部９ｂと液晶ディスプレイ９ｃとは接続されており、制御部９ｂの出力は液晶ディスプレイ９ｃに送信される。デジタル一眼レフカメラ９は、近赤外の帯域の感度を持たせるために、撮像素子９ａの前面に配置される赤外カット特性を有する光学部材が除去されている。なお、撮像素子９ａと制御部１０は、外光の状態を検出する外光検出手段として機能することがある（後述）。また、液晶ディスプレイ９ｃは、所定の警告を発する警告手段として機能することがある（後述）。
【００１３】
眼底カメラ１ａの本体の内部には、制御部１０が設けられる。制御部１０は、眼底カメラ１ａの全体的な制御を行う。さらに、制御部１０は、後述する所定の処理を実行する。制御部１０は、たとえば、所定の演算を行う演算回路と所定のデータを記憶できる記憶回路（メモリ）を有するワンチップマイコン（コンピュータ）などにより構成される。制御部１０は、駆動回路１１，１２を介して、観察光源２、撮影光源７にそれぞれ接続されている。制御部１０は、デジタル一眼レフカメラ９内の制御部９ｂと、眼底カメラ１ａの本体に設けられるレリーズスイッチ１９とにも接続されている。
【００１４】
また、制御部１０は、駆動回路１３を介してアクチュエーター１４に接続される。そして、制御部１０は、駆動回路１３を制御し、駆動回路１３は、制御部１０の制御によってアクチュエーター１４を駆動する。アクチュエーター１４は、駆動されると、赤外カットフィルタ１５を撮影光路内に挿脱する。この赤外カットフィルタ１５は、一般的なデジタル一眼レフカメラから除去された赤外カット特性を有する光学部材と同じ光学的な特性を有する。観察時は、赤外カットフィルタ１５が撮影光路外に退避することで、デジタル一眼レフカメラ９による眼底像観察が可能となる。また、撮影時には、赤外カットフィルタ１５が撮影光路内に挿入されることで、デジタル一眼レフカメラ９および赤外カットフィルタ１５により一般のデジタル一眼レフカメラと同等の分光特性を得ることができる。
【００１５】
さらに、制御部１０は、駆動回路１６を介してアクチュエーター１７に接続されている。アクチュエーター１７は、駆動されると、眼底部撮影・前眼部撮影切り替えレンズ１８を、撮影光路内に挿脱する。
【００１６】
眼底カメラ１ａは、対物レンズ３と、フォーカスレンズ８と、眼底部撮影・前眼部撮影切り替えレンズ１８とを含む撮影光学系を有する。そして、眼底部撮影・前眼部撮影切り替えレンズ１８が、撮影光学系の撮影光路内に入っていない状態では、撮影光学系の撮影光路は眼底部撮影用光学系となる。そして、眼底カメラ１ａは、眼底部撮影用光学系としての撮影光路を用いることにより、被検眼Ｅの眼底Ｅｒの像を撮影可能となる。この状態を、「眼底部撮影状態」と称する。図２は、眼底部撮影用光学系としての撮影光路を用いて撮影した眼底部画像を模式的に示す図である。図２中のＢは網膜血管を示し、Ｈは視神経乳頭を示す。眼底部撮影・前眼部撮影切り替えレンズ１８が撮影光路内に入っている状態では、撮影光学系の撮影光路は、前眼部撮影用光学系となる。そして眼底カメラ１ａは、前眼部撮影用光学系としての撮影光路を用いることにより、被検眼Ｅの虹彩や強膜（白目部分）、まぶた部等の前眼部撮影が可能となる。この状態を、「前眼部撮影状態」と称する。図３は、前眼部撮影用光学系を用いて撮影した前眼部画像を模式的に示す図である。図３中のＥｌはまぶたを示し、Ｍは瞳孔を示し、Ｉは虹彩を示し、Ｓは強膜を示す。
【００１７】
このように、眼底カメラ１ａは、前眼部撮影用光学系と眼底部撮影用光学系としての撮影光学系（撮影光路）を有する。そして、眼底カメラ１ａは、眼底部撮影・前眼部撮影切り替えレンズ１８を駆動することによって、眼底部撮影状態と前眼部撮影状態とを切替え可能である。
【００１８】
１９はレリーズスイッチであり、２０は前眼部撮影・眼底部撮影切替え用スイッチである。レリーズスイッチ１９と前眼部撮影・眼底部撮影切替え用スイッチ２０は、制御部１０に接続されている。そして、制御部１０は、レリーズスイッチ１９と前眼部撮影・眼底部撮影切替え用スイッチ２０が操作されたことを検出できる。
【００１９】
眼底カメラ１ａの本体の外部には、コンピュータ２１が設けられる。コンピュータ２１は、ＵＳＢやシリアルポートを介して、デジタル一眼レフカメラ９の制御部９ｂ、眼底カメラ１ａの本体の制御部１０に接続されている。コンピュータ２１は、撮影した眼底画像の現像処理、データベースやネットワークへの転送処理、被検者のＩＤなどの情報入力、を担当する。
【００２０】
制御部１０は、レリーズスイッチ１９が押されたことを検出すると、デジタル一眼レフカメラ９の制御部９ｂにレリーズ信号を送信する。デジタル一眼レフカメラ９の制御部９ｂは、レリーズ信号を受信すると、撮影動作を実行する。
【００２１】
デジタル一眼レフカメラ９は、ライブビュー機能を搭載している。ライブビュー機能は、クイックリターンミラーを退避させることによりシャッターを開状態とし、撮像素子９ａ上に結像する像（撮像素子９ａが生成する画像）を順次読み出しながら、背面に設けられる液晶ディスプレイ９ｃにその画像を連続的に表示する機能である。第１の実施形態においては、観察時は、デジタル一眼レフカメラ９のライブビュー機能が使用される。
【００２２】
次に第１の実施形態の眼底カメラ１ａの動作について、図４と図５のフローチャートを用いて説明する。図４と図５は、眼底カメラ１ａの動作を示すフローチャートである。この処理は、コンピュータプログラム（コンピュータソフトウェア）として、たとえば制御部１０に設けられるメモリなど、コンピュータ読み取りが可能な記憶媒体に格納される。また、以下に示す動作の所定のステップにおいては、制御部１０は、眼底カメラ１ａを制御するほか、外光の状態が前眼部の撮影に影響をあたえる状態であるか否かを判定する判定手段として機能する。なお、外光とは、被検眼Ｅの眼底部および前眼部以外の部分から眼底カメラ１ａの対物レンズ３に入射する光をいうものとする。
【００２３】
まず、眼底カメラ１ａの電源が投入されると、ステップＳ１０１において、制御部１０は、眼底カメラ１ａの内部状態の初期化を実行する。また、制御部１０は、赤外線を用いた被検眼の観察の準備のために、観察光源２を点灯するなどする。
【００２４】
次に、ステップＳ１０２においては、制御部１０は、デジタル一眼レフカメラ９の制御部９ｂに対して通信を実行し、デジタル一眼レフカメラ９にライブビュー動作を開始させる。すなわち、デジタル一眼レフカメラ９の制御部９ｂは、制御部１０から通信を受けると、クイックリターンミラー（図略）を退避させ、かつデジタル一眼レフカメラ９内のシャッター（図略）を開状態にする。そして、制御部９ｂは、撮像素子９ａ上に結像される像（生成される画像）を順次読み出しながら、液晶ディスプレイ９ｃに画像を連続的に表示させる。このようにして、ステップＳ１０２において、デジタル一眼レフカメラ９は、ライブビュー動作をスタートさせる。そして、ステップＳ１０３に進む。
【００２５】
ステップＳ１０３においては、制御部１０は、眼底カメラ１ａの本体のスイッチ操作が行われるのを待つ。そして、制御部１０は、スイッチ操作が行われるまでこのステップＳ１０３を繰り返す。スイッチ操作が行われると、ステップＳ１０４に進む。
【００２６】
ステップＳ１０４においては、制御部１０は、操作されたスイッチを識別する。そしてステップＳ１０５に進む。
【００２７】
ステップＳ１０５においては、制御部１０は、操作されたスイッチが前眼部撮影・眼底部撮影切替え用スイッチ２０であるか否かを判断する。前眼部撮影・眼底部撮影切替え用スイッチ２０であった場合は、図５のステップＳ２０１に進む。ステップＳ２０１以下の動作については図５を参照して後述する。
【００２８】
操作されたスイッチが前眼部撮影・眼底部撮影切替え用スイッチ２０でなかった場合は、ステップＳ１０６に進む。ステップＳ１０６においては、制御部１０は、操作されたスイッチがレリーズスイッチ１９であるか否かを判断する。レリーズスイッチ１９の操作ではないと判断された場合にはステップＳ１０７に進む。ステップＳ１０７においては、制御部１０は、スイッチ操作に応じて眼底カメラ１ａの本体の内部処理を行う。そして、ステップＳ１０３に戻る。
【００２９】
ステップＳ１０６において、レリーズスイッチ１９が操作されたと判断された場合には、ステップＳ１０８に進む。ステップＳ１０８において、制御部１０は、制御部１０内のメモリに記憶されている撮影光学系の撮影光路の現在の状態が、前眼部撮影状態か眼底部撮影状態かを判定する。前眼部撮影状態である場合にはステップＳ１０９に進み、眼底部撮影状態の場合は、ステップＳ１１１に進む。
【００３０】
ステップＳ１０９においては、制御部１０は、制御部１０のメモリに記憶されている状態が、外光検出状態か否かを判定する。外光検出状態とは、外光の状態が前眼部の撮影に影響を与える状態をいう。本実施形態では、前眼部の撮影に影響を与える外光の状態として、外光の光量が閾値以上である状態をいう（詳細は後述）。外光検出状態であると判定された場合には、ステップＳ１１０に進む。ステップＳ１１０においては、制御部１０は、デジタル一眼レフカメラ９を、撮影禁止状態に設定する。そして、ステップＳ１０３に戻る。そして再び、制御部１０は、ステップＳ０１３〜Ｓ１０９の処理を実行する。
【００３１】
ステップＳ１０９において外光検出状態でないと判定された場合には、ステップＳ１１１に進む。なお、いったんステップＳ１１０に進んで撮影禁止状態に設定された後に再びステップＳ１０９に進み、そこで外光検出状態でないと判定された場合には、制御部１０は、撮影禁止状態を解除する。そのうえでステップＳ１１１に進む。
【００３２】
ステップＳ１１１においては、制御部１０は駆動回路１３を制御し、駆動回路１３は制御部１０による制御によってアクチュエーター１４を駆動する。そして、アクチュエーター１４は、赤外カットフィルタ１５を撮影光路内に挿入する。そして、ステップＳ１１２に進む。
【００３３】
ステップＳ１１２においては、制御部１０は、レリーズ信号を、デジタル一眼レフカメラ９の制御部９ｂに送信する。そして、ステップＳ１１３に進む。
【００３４】
ステップＳ１１３においては、デジタル一眼レフカメラ９の制御部９ｂは、デジタル一眼レフカメラ９の撮影動作におけるシャッターの開タイミングと、撮影光源７の発光タイミングを合わせるために、所定時間の経過を待つ。そして、所定時間経過すると、ステップＳ１１４に進む。
【００３５】
ステップＳ１１４においては、デジタル一眼レフカメラ９の制御部９ｂは、撮影光源７を発光させて被検眼Ｅに光を照射し、撮影を行う。そしてステップＳ１１５に進む。
【００３６】
ステップＳ１１５おいては、制御部１０は、再び駆動回路１３およびアクチュエーター１４を介して赤外カットフィルタ１５を撮影光路より退避させる。そして、ステップＳ１１６に進む。
【００３７】
ステップＳ１１６においては、制御部１０は、撮影光源７の再充電を行う。そして、ステップＳ１０３に戻る。
【００３８】
次に、図５を参照して、ステップＳ１０５において前眼部撮影・眼底部撮影切替え用スイッチ２０が操作されたと判定された場合の動作について説明する。
【００３９】
図４のステップＳ１０５において前眼部撮影・眼底部撮影切替え用スイッチ２０が操作されたと判断された場合は、図５のステップＳ２０１に進む。
【００４０】
ステップＳ２０１においては、制御部１０は、制御部１０内のメモリに記憶されている撮影光学系の撮影光路の現在の状態が、眼底部撮影状態であるか否かを判定する。現在の状態が眼底部撮影状態でない場合（前眼部撮影状態の場合）には、ステップＳ２０２に進む。
【００４１】
ステップＳ２０２においては、制御部１０は、駆動回路１６およびアクチュエーター１７を介して、眼底部撮影・前眼部撮影切り替えレンズ１８を撮影光路内から退出させ、眼底カメラ１ａの状態を、眼底部撮影状態に切替える。そしてステップＳ２０３に進む。
【００４２】
ステップＳ２０３においては、制御部１０は、撮影光学系の撮影光路の現在の状態が眼底部撮影状態であることを制御部１０内のメモリに記憶する。そして、図４のステップＳ１０３に戻る。
【００４３】
ステップＳ２０１において眼底部撮影状態であると判定された場合には、ステップＳ２０４に進む。ステップＳ２０４においては、制御部１０は、駆動回路１６およびアクチュエーター１７を介して、眼底部撮影・前眼部撮影切り替えレンズ１８を撮影光路内に挿入し、眼底カメラ１ａの状態を前眼部撮影状態に切替える。そしてステップＳ２０５に進む。
【００４４】
ステップＳ２０５においては、制御部１０は、撮影光学系の撮影光路の現在の状態が前眼部撮影状態であることを、制御部１０内のメモリに記憶する。そして、ステップＳ２０６に進む。
【００４５】
ステップＳ２０６においては、制御部１０は、駆動回路１１を介して観察光源２を消灯する。そして、ステップＳ２０７に進む。
【００４６】
ステップＳ２０７においては、制御部１０は、デジタル一眼レフカメラ９内の制御部９ｂに対して指令を出し、撮像素子９ａが生成（撮影）した観察光源２の消灯時のライブビュー画像を取得する。このステップで取得されるライブビュー画像は、前眼部画像である。そして、ステップＳ２０８に進む。
【００４７】
ステップＳ２０８においては、制御部１０は駆動回路１１を介して観察光源２を点灯する。そしてステップＳ２０９に進む。
【００４８】
ステップＳ２０９においては、制御部１０は、ステップＳ２０７で取得したライブビュー画像（前眼部画像）の明るさから、観察光消灯時の外光の明るさを計算する。観察光源２は消灯しているので、このときのライブビュー画像（前眼部画像）は、外光によって照明された状態で撮影された画像である。このため、制御部１０は、ライブビュー画像（前眼部画像）取得時の撮影感度、蓄積時間、光学系の絞り値などから、外光の状態としての外光の光量を計算することが可能である。このように、ステップＳ２０７とステップＳ２０９において、撮像素子９ａと制御部１０は、外光の状態としての外光の光量を検出する。また、第１の実施形態においては、撮像素子９ａが、画像を取得する撮像手段と外光の状態を検出する外光検出手段を兼用する。そして、ステップＳ２１０に進む。
【００４９】
ステップＳ２１０においては、制御部１０（判定手段）は、ステップＳ２０９で計算した外光の光量が所定の閾値以上であるか否か（撮影に影響を与える状態であるか否か）を判定する。この所定の閾値は、外光の状態が前眼部の撮影に影響を与える状態であるか否かの判断基準である。外光の光量がこの所定の閾値未満である場合には、外光の状態は前眼部の撮影に影響を与えない状態である。一方、外光の光量がこの所定の閾値以上である場合には、外光の状態は前眼部の撮影に影響を与える状態である。この所定の閾値は、眼底カメラ１ａやデジタル一眼レフカメラ９の光学特性などに応じて適宜設定される。そして、この所定の閾値は、制御部１０のメモリなどにあらかじめ格納されている。外光の光量が所定の閾値以上である（外光の状態が前眼部の撮影に影響を与える状態である）と判定された場合には、ステップＳ２１１に進む。
【００５０】
ステップＳ２１１においては、制御部１０は、前眼部の撮影に影響を与える光量の外光が検出された状態であること、すなわち、外光の状態が前眼部の撮影に影響を与える状態であることを、制御部１０内のメモリに記憶する。この状態を「外光検出状態」と称する。そして、ステップＳ２１２に進む。
【００５１】
ステップＳ２１２においては、制御部１０は、デジタル一眼レフカメラ９の制御部９ｂを介して液晶ディスプレイ９ｃ（警告手段）に、文字や記号などによって警告を表示させる。警告には、外光の状態が前眼部の撮影に影響を与える状態であることを使用者に知らせるもののほか、外光の影響を低減するための具体的な指示を使用者に提示するものがある。具体的な指示としては、たとえば、制御部１０は、液晶ディスプレイ９ｃに、「撮影に影響がある外光が検出されましたので確認してください」「本装置以外の照明を消してください」などのメッセージを表示させる。
【００５２】
このほか、制御部１０が、ブザーやスピーカー（いずれも図略）などによって、警告音や前記のような警告メッセージを発する。
【００５３】
ステップＳ２１０において、外光の光量が少なく外光の状態が撮影に影響を与える状態ではないと判定された場合には、ステップＳ２１３に進む。ステップＳ２１３においては、制御部１０は、外光の状態が前眼部の撮影に影響を与えない状態（以下、外光非検出状態と称する）であることを、制御部１０内のメモリに記憶する。
【００５４】
以上説明した動作により、外光の影響を受けやすい前眼部撮影において、外光の光量が所定の閾値より大きい場合には、制御部１０は、警告を発するととともに、デジタル一眼レフカメラ９をレリーズ禁止状態（撮影を禁止する状態）に移行させる。これにより、前眼部撮影時において、外光の影響によって撮影画像（前眼部画像）が意図しない色味や明るさになることを避けることができる。
【００５５】
なお、眼底部撮影の場合には、光学構成上、外光の影響を受けにくいため、外光を検出しても撮影禁止にはしない。
【００５６】
第１の実施形態の観察光源２として、赤外ＬＥＤが使用される例を説明したが、観察光源２の種類は赤外ＬＥＤに限定されない。たとえば、観察光源２として、ハロゲンランプのように可視および赤外波長を出力する光源に可視光カットフィルタが組み合わされた構成が適用されてもよい。
このような構成によれば、外光の影響のない状態で前眼部を撮影することができる。
【００５７】
（第２の実施形態：専用のセンサーにより外光の状態を検出する）
次に、本発明の第２の実施形態について、図６を参照して説明する。
第１の実施形態が、デジタル一眼レフカメラ９の撮像素子９ａ（撮像手段）が外光検出手段を兼用する構成であるのに対し、第２の実施形態は、外光の状態の検出を専用のセンサーを外光検出手段として用いる形態である。以下、図６を参照して第２の実施形態について説明する。図６は、第２の実施形態の眼科撮影装置の眼底カメラ１ｂの構成を示すブロック図である。なお、第１の実施形態と同じ構成については図１と同じ番号を付し、説明を省略する。
【００５８】
図６に示すように、第２の実施形態にかかる眼底カメラ１ｂには、外光の状態を検出する外光検出手段としての外光センサー２２が、眼底カメラ１ｂの本体の撮影光学系の対物レンズ３の近傍に、被検者（被検眼Ｅ）側に向けて設置される。そして、外光検出手段としての外光センサー２２が、対物レンズ３の近傍において、被検者の被検眼Ｅの近傍の外光を検出する。被検眼Ｅの前眼部の撮影では、被検眼Ｅおよびその周辺を撮影することになるが、外光の影響が問題となるのは、被検眼Ｅの撮影する部分である。このため、被検眼Ｅおよびその周辺部に外光の影響がないか否かを検出できればよい。したがって、外光センサー２２が前記のように配置されると、被検眼Ｅおよびその周辺部に対する外光の影響を検出できるようになる。なお、外光センサー２２には、公知の各種受光センサー（光量センサー）が適用できる。
【００５９】
このように、外光検出手段としての専用の外光センサー２２が設けられる構成によれば、第１の実施形態のように検出時に観察光源２を消灯する必要がなくなる。このため、いつでも外光の状態の検出が行えるとともに、撮影者の観察行為を妨げないという効果がある。さらに、外光検出手段としての外光センサー２２が対物レンズ３の近傍に設けられる構成によれば、被験者の被検眼Ｅの近傍の外光の状態を検出できる。したがって、外光の状態の検出の精度の向上を図ることができる。
【００６０】
なお、第２の実施形態の眼底カメラ１ｂの動作は、図５のステップＳ２０７において、外光センサー２２を用いて外光の状態を検出する。それ以外は、第１の実施形態と同じ動作が適用できる。したがって、説明は省略する。
【００６１】
（第３の実施形態：前眼部の画像のＲＧＢ比から、外光が前眼部の撮影に影響を与えるか否かを判定する）
次に、本発明の第３の実施形態について説明する。
前記の第１の実施形態は、外光の状態を、観察光消灯時に撮像素子９ａに入射する光量によって判定する構成である。観察光源２が赤外ＬＥＤのような単波長光源の場合には、観察光源２で照明した物体の反射光による撮像素子９ａが出力する画像のＲＧＢ比は、光量や物体の反射率に関係なく、撮像素子９ａのＲＧＢ画素の照明光波長の感度で決まるために一定となる。これに対して、太陽光や蛍光灯のような光源は、様々な波長成分を含むため、外光が影響する場合、撮像素子９ａが出力する画像のＲＧＢ比は、赤外観察光のみの場合の画像のＲＧＢ比とは異なる。第３の実施形態は、撮像素子９ａが検出する外光の状態として、撮像素子９ａが出力する画像のＲＧＢ比を用いる実施形態である。
【００６２】
第３の実施形態に係る眼科撮影装置としての眼底カメラ１ａの構成は、図１に示す構成と同様である。このため、説明を省略する。以下、図７を参照して、第３の実施形態の眼科撮影装置としての眼底カメラ１ａの動作について説明する。図７は、第３の実施形態における眼底カメラ１ａの動作を示すフローチャートである。このフローチャートは、図５に示す第１の実施形態の動作に対応する。したがって、図５に示す第１の実施形態と同じ処理については、説明を省略する。
【００６３】
ステップＳ２０１〜ステップＳ２０５は、第１の実施形態のステップＳ２０１〜ステップＳ２０５と同じである。
【００６４】
ステップＳ３０１においては、制御部１０は、画像を取得する。第１の実施形態においては、制御部１０は、前眼部画像を取得する動作（ステップＳ２０７）の前後において、観察光源２の消灯（ステップＳ２０６）と点灯（ステップＳ２０８）を実行している。これに対して、第３の実施形態では、観察光源２を点灯した状態のままで前眼部画像を取得する。そして、ステップＳ３０２に進む。
【００６５】
ステップＳ３０２においては、制御部１０は、取得した前眼部画像に含まれる各色の画素（Ｒ画素、Ｇ画素、Ｂ画素）について、出力値（輝度値）の平均を算出する。そして、制御部１０は、各色の出力値の平均から、取得した前眼部画像のＲＧＢ比を算出する。このＲＧＢ比が、撮像素子９ａが検出した外光の状態として用いられる。そして、ステップＳ３０３に進む。
【００６６】
ステップＳ３０３においては、制御部１０は、算出したＲＧＢ比と赤外観察時の前眼部画像のＲＧＢ比とを比較する。前記のとおり、赤外観察時の前眼部画像（撮像素子９ａの出力）のＲＧＢ比は、撮像素子９ａのＲＧＢ画素の照明光波長の感度で決まる。そこで、あらかじめ制御部１０に、赤外観察時の前眼部画像のＲＧＢ比を記憶させておく。そして、制御部１０は、記憶している赤外観察時の前眼部画像のＲＧＢ比を読み出して比較に用いる。そして、一致する場合は、制御部１０は、現在の外光の状態が外光非検出状態であると判定する。この場合には、ステップＳ２１３に進む。ステップＳ２１３においては、制御部１０は、メモリに、外光非検出状態であることを記憶する。
【００６７】
ステップＳ３０３において、算出したＲＧＢ比と赤外観察時の前眼部画像のＲＧＢ比とが一致しない場合には、制御部１０は、現在の外光の状態が外光検出状態であると判定する。この場合には、ステップＳ２１１に進む。ステップＳ２１１においては、制御部１０は、外光検出状態であることを制御部１０内のメモリに記憶する。そして、ステップＳ２１２に進む。
ステップＳ２１２においては、制御部１０は、液晶ディスプレイ９ｃ（警告手段）に、警告表示を実行させる。
【００６８】
このように、第３の実施形態においては、制御部１０は、外光の所定の状態として赤外観察時における前眼部画像（撮像素子９ａの出力）のＲＧＢ比を用いる。また、制御部１０は、外光検出手段が検出した外光の状態として観察光源２の使用時における前眼部画像（撮像素子９ａの出力）のＲＧＢ比を用いる。そして、制御部１０（判定手段）は、観察光源２の使用時における撮像素子９ａの出力のＲＧＢ比が、赤外観察時における前眼部画像のＲＧＢ比（所定の状態）と異なる場合には、外光検出状態であると判定する。そして制御部１０は、撮影を禁止する。
以上説明したように、第３の実施形態は、観察光源２を消灯しなくとも外光の状態を検出できるとともに、外光検出専用センサーが不要であるという効果がある。
【００６９】
（第４の実施形態：外光が前眼部の撮影に影響を与える場合には前眼部の画像の色を補正する）
次に、本発明の第４の実施形態について説明する。前記の第１〜第３の実施形態は、前眼部の観察時における外光の状態が前眼部の撮影に影響を与える状態である場合に、警告を発するとともに撮影を禁止する実施形態である。これに対して、以下に説明する第４の実施形態は、外光の状態として撮影に対する外光の影響の度合いを検出し、前眼部画像の撮影時に、前眼部画像に色補正を実行する実施形態である。
第４の実施形態に係る眼科撮影装置の構成は、図１に示す第１の実施形態の眼科撮影装置の構成と同様であるため、説明を省略する。図８と図９を参照して、第４の実施形態の動作について説明する。図８と図９は、第４の実施形態にかかる眼底カメラ１ａの動作を示すフローチャートである。これらのフローチャートは、第１の実施形態の図４と図５とそれぞれ対応している。
【００７０】
ステップＳ１０１〜ステップＳ１０８は、第１の実施形態のステップＳ１０１〜Ｓ１０８と同じである（図４参照）。したがって、説明は省略する。
【００７１】
ステップＳ１０８において、前眼撮影状態と判定された場合は、ステップＳ４０１に進む。第４の実施形態では、外光の状態が前眼部に影響を与える状態である場合には、制御部１０は、後述する図９のステップＳ５０１において、外光の光量が大きいために色補正ができない状態（外光補正不可状態）であるか否かに分類する。ステップＳ４０１において外光補正不可状態であると判定された場合には、ステップＳ１１０に進む。
【００７２】
ステップＳ１１０においては、制御部１０は、デジタル一眼レフカメラ９を撮影禁止に設定する。そして、ステップＳ１０３に戻る。
【００７３】
ステップＳ１１１〜ステップＳ１１５は、第１実施形態のステップＳ１１１〜ステップＳ１１５と同じである（図４参照）。
【００７４】
ステップＳ１１５においては、制御部１０がレリーズ信号をデジタル一眼レフカメラ９の制御部９ｂに送信して撮影が行われ、赤外カットフィルタ１５の退避が行われる。そして、ステップＳ４０２に進む。ステップＳ４０２においては、制御部１０は、外光検出状態かどうかを、制御部１０内のメモリを参照することで判定する。外光検出状態でない場合は、ステップＳ１１６に進む。ステップＳ１１６は、第１の実施形態のステップＳ１１６と同じである。
【００７５】
ステップＳ４０２で外光検出状態と判定された場合には、ステップＳ４０３に進む。外光補正不可状態である場合には、ステップＳ４０１に進んで撮影禁止になっている。このため、外光補正可能な状態のときのみ、このステップＳ４０３に到達する。
【００７６】
ステップＳ４０３においては、制御部１０は、外光の影響をキャンセルするためのＲ，Ｇ，Ｂごとのゲインを演算する。制御部１０は、これらのゲインを、撮影光量（外光の光量）と、外光が影響しないときの目標とするＲＧＢ比と、図９のステップＳ２０９で演算される外光の光量と、ステップＳ５０３で演算される外光のＲＧＢ比（外光の状態）とから算出する。そして、制御部１０は、算出したゲインを画像に適用することで、前眼部画像に対して外光補正処理を行う。
【００７７】
次に、図９を参照して、ステップＳ１０５において、操作されたスイッチが前眼部撮影・眼底部撮影切替え用スイッチ２０であると判定された場合の動作について説明する。
【００７８】
ステップＳ２０１〜ステップＳ２１１は、第１実施形態のステップＳ２０１〜ステップＳ２１１と同じである（図５参照）。
【００７９】
ステップＳ２１１においては、制御部１０は、現在の外光の状態が外光検出状態であることを、制御部１０内のメモリに記憶する。そしてステップＳ５０１に進む。ステップＳ５０１においては、制御部１０（判定手段）は、外光の光量が色補正可能な範囲かどうかの判定を行う。色補正量は限界があるため、外光の光量が非常に大きい場合は補正が困難である。そのため、制御部１０は、ステップＳ２１０とは異なるスレショルド値（閾値）を設定し、外光光量がこのスレショルド値以上である場合は、外光補正は不可と判定する。そしてこの場合には、ステップＳ５０３に進む。なお、このスレショルド値は、あらかじめ制御部１０内のメモリなどに記憶されている。ステップＳ５０３においては、制御部１０は、外光補正不可状態であることを制御部１０内のメモリに記憶する。そして、ステップＳ２１２に進む。
【００８０】
ステップＳ２１２においては、制御部１０は、デジタル一眼レフカメラ９の制御部９ｂを介して、液晶ディスプレイ９ｃ（警告手段）に、外光光量が大きく、前眼部撮影ができない状態であること表示する警告表示を実行させる。
【００８１】
一方、ステップＳ５０１で外光の光量が補正可能な範囲と判定された場合は、ステップＳ５０２に進む。ステップＳ５０２においては、制御部１０は、ステップＳ２０７で取得した観察光源２の消灯時の前眼部画像から、外光の状態として外光のＲＧＢ比を算出し、メモリに記憶する。このステップで算出した外光のＲＧＢ比（外光の状態）は、ステップＳ４０３において、前眼部画像の撮影時の外光補正処理で使用される。
【００８２】
以上、画像の色補正として、画像のＲ、Ｇ、Ｂのバランスを変える例を示したが、色補正方法はこれに限定されるものではない。公知の光源の色温度補正技術やホワイトバランス補正技術を用いても良い。
【００８３】
前記のとおり、赤外線と可視光の両方に感度を有するデジタル一眼レフカメラを用い、撮影光学系に赤外カットフィルタが設けられない構成であると、外光によって被検眼が赤紫色に写ることがある。本発明の第４の実施形態によれば、外光がある場合であっても、撮影された画像を色補正することで、前記問題を解消できる。
【００８４】
以上説明したように、第４の実施形態は、補正可能な範囲で前眼部画像を色補正することで外光の影響を緩和する形態である。色補正によって前眼部撮影時の外光の影響を除去できるために、前眼部撮影の自由度を上げることができるという効果がある。
【００８５】
（第５の実施形態：外光が前眼部の撮影に影響を与える場合には、前眼部の撮影光量の増加や感度の低減を行う）
次に、本発明の第５の実施形態について説明する。前記の第４の実施形態は、画像の色補正によって外光の影響を除去する実施形態である。これに対して、第５の実施形態は、撮影光量を上げ、撮影時の感度を下げることによって撮影画像の明るさを変えないまま、外光の影響を除去する実施形態である。
【００８６】
第５の実施形態に係る眼科撮影装置の構成は、第１の実施形態（図１参照）の構成と同様であるため、説明を省略する。以下、図１０と図１１を参照して、第５の実施形態の動作について説明する。図１０と図１１は、第５の実施形態の眼底カメラ１ａの動作を示すフローチャートである。これらのフローチャートは、それぞれ、第４の実施形態の図８と図９に示すフローチャートに対応している。なお、第１〜第４の実施形態と同じ動作については、説明を省略する。
【００８７】
ステップＳ１０１〜ステップＳ１０１は、それぞれ、第１実施形態のステップＳ１０１〜ステップＳ１０８と同じである（図４参照）。
【００８８】
ステップＳ１０８において、眼底カメラ１ａが前眼部撮影状態にあると判定された場合には、ステップＳ４０１に進む。ステップＳ４０１においては、制御部１０（判定手段）は、外光の状態が補正可能な範囲であるか否かを判定する。外光の状態が補正可能な範囲ではないと判定された場合には、ステップＳ１１０に進む。
【００８９】
ステップＳ１１０においては、制御部１０は、眼底カメラ１ａを撮影禁止状態に設定する。そして、ステップＳ１０３に戻る。
【００９０】
一方、ステップＳ４０１において、外光の状態が補正可能な範囲であると判定された場合には、ステップＳ６０１に進む。
【００９１】
ステップＳ６０１においては、ステップＳ２０９（図９のステップＳ２０９参照）で算出した外光の光量を用いて、撮影に外光が影響しないようになる撮影光量を演算する。そしてステップＳ６０２に進む。ステップＳ６０２においては、制御部１０は、同様に撮影に外光が影響しないようになる撮影感度値を演算し、その感度値をデジタル一眼レフカメラ９の撮影感度値に設定する。そして、ステップＳ１１１に進む。
【００９２】
ステップＳ１１１〜ステップＳ１１６は、第１の実施形態のステップＳ１１１〜ステップＳ１１６と同じである（図４参照）。
【００９３】
なお、前眼部の撮影に影響しないような外光の光量としては、たとえば撮影光源７による露光量に対し、外光による露光量が１／８になるところを目標とする。たとえば初期状態のＩＳＯ感度が１６００であるとすると、撮影時のＩＳＯ感度は、たとえば次のとおりとなる。
【００９４】
ステップＳ２０９において、外光による露光量が撮影光源７による露光量の約１／２であると算出された場合には、ステップＳ６０１において、制御部１０は、撮影光源７の光量を４倍に設定する。さらにステップＳ６０２において、制御部１０は、撮影時のＩＳＯ感度を２段低い（１／４の値である）ＩＳＯ４００に設定する。すなわち、制御部１０は、外光検出手段としての撮像手段が検出した外光の光量（露光量）に対して所定の比率で撮影光源７の光量を増加させる。さらに、制御部１０は、前眼部の撮影時における感度を、撮影光源７の光量の増加量の逆数に応じて低くする。これにより、前眼部の撮影時における外光による露光量は、撮影光源７による露光量の約１／８となる。
【００９５】
ステップＳ１０５において、前眼部撮影・眼底部撮影切替え用スイッチ２０が操作されたと判定された場合には、図１１のステップＳ２０１に進む。第５の実施形態では色補正が行われないため、ステップＳ２０１以下の動作は、第４の実施形態のステップＳ２０１以下の動作からステップＳ５０２の動作が削除された動作となる（図９参照）。それ以外は、第４の実施形態と同じである。したがって、説明は省略する。
【００９６】
以上、説明したように本発明の実施形態によれば、前眼部撮影時において、外光の影響を除去すること、外光の影響のない状態で前眼部を撮影することができる。
【００９７】
なお、第１〜第５の実施形態が組み合わされた構成であってもよい。
たとえば、眼底カメラは、外光の状態として、外光の光量と画像のＲＧＢ比の両方を用いる。そして、外光の光量が所定の閾値以上であり、かつ、画像のＲＧＢ比が赤外観察光のみの場合の画像のＲＧＢ比と異なる場合には、外光の状態が前眼部の撮影に影響を与える状態であると判定する。
さらに、眼底カメラは、観察光源を消灯して外光の光量を検出した後に、観察光源を点灯して前眼部の画像を取得し、その画像のＲＧＢ比を検出する構成であってもよい。そして、眼底カメラは、外光の光量が所定の閾値以上であり、かつ、画像のＲＧＢ比が赤外観察光のみの場合の画像のＲＧＢ比と異なる場合には、外光の状態が前眼部の撮影に影響を与える状態であると判定する。
【００９８】
以上、本発明の実施形態について詳細に説明したが、前記実施形態は、本発明を実施するにあたっての具体例を示したに過ぎない。本発明の技術的範囲は、前記実施形態に限定されるものではない。本発明は、その趣旨を逸脱しない範囲において種々の変更が可能であり、それらも本発明の技術的範囲に含まれる。
たとえば、前記実施形態においては、眼科装置として眼底カメラを示したが、眼科装置は眼底カメラに限定されない。たとえば、本発明が適用される眼科装置としては、ＯＣＴ検査装置（光干渉断層計）や、ＳＬＯ（走査型レーザー検眼鏡）や、眼圧計や、眼屈折力計などの眼科検査で使用される各種検査装置や測定装置が挙げられる。
【００９９】
（その他の実施形態）
上述した実施形態の目的は、次のような方法によっても達成される。すなわち、上述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記憶した記憶媒体は本発明を構成することになる。また、コンピュータが読み出したプログラムコードを実行することにより、上述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１００】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【産業上の利用可能性】
【０１０１】
本発明は、眼科撮影装置に有効な技術である。そして、本発明によれば、前眼部撮影時において、外光の影響を除去することが可能である。
【符号の説明】
【０１０２】
１ａ：眼底カメラ、２：観察光源、７：撮影光源、９：デジタル一眼レフカメラ、９ａ：撮像素子、９ｂ：制御手段、９ｃ：液晶ディスプレイ、１０：制御部、１５：赤外カットフィルタ、１６：駆動回路、１７：アクチュエーター、１８：眼底部撮影・前眼部撮影切り替えレンズ、１９：レリーズスイッチ、２０：眼底部撮影・前眼部撮影切替え用スイッチ、２１：コンピュータ、２２：外光センサー
【図１】
2014083095.tif 000003
【図２】
2014083095.tif 000004
【図３】
2014083095.tif 000005
【図４】
2014083095.tif 000006
【図５】
2014083095.tif 000007
【図６】
2014083095.tif 000008
【図７】
2014083095.tif 000009
【図８】
2014083095.tif 000010
【図９】
2014083095.tif 000011
【図１０】
2014083095.tif 000012
【図１１】
2014083095.tif 000013